(57)【要約】【課題】  チャッキングオン・オフ時に不快な異音が発生しないようにすること。【解決手段】  クランパ本体１５ａに形成した各弾性片２４の上端部外周面に上向き外広がり状に傾斜する傾斜状ガイド面２６が形成されると共に、該各弾性片２４の下端部内周面に内向きに突出するプッシャ２７が一体突設されており、チャッキングオフ時に各傾斜状ガイド面２６をホルダ孔１４ａに接触させて各弾性片２４を内側に弾性変位させることにより、各プッシャ２７をターンテーブル４の中央突起部４ａに押し付けて該ターンテーブル４をクランパ１５から離間させ、そのチャッキングオフ状態で前記各傾斜状ガイド面２６をホルダ孔１４ａに接触させることにより、該クランパ１５の軸心Ｏ２がターンテーブル４の軸心Ｏ１と同心状に位置決めされている。【選択図】        図１
2008176876.tif 000002
【特許請求の範囲】
【請求項１】
ディスク載置用トレイがローダーシャーシに前後進可能に支持され、光ピックアップ及
びターンテーブルを搭載したトラバースシャーシの後部がローダーシャーシに上下動可能
に連結され、該トラバースシャーシの前部にカム機構を介して連結したカムスライダがロ
ーダーシャーシにスライド可能に配置され、前記ローダーシャーシの両側板間に架設した
ホルダに前記ターンテーブルと同心状のホルダ孔が貫設され、該ホルダ孔に昇降可能に嵌
入する円筒状クランパ本体と該クランパ本体の上端に一体形成した上鍔部とを有する合成
樹脂製クランパが設けられ、該クランパとターンテーブルとのうち、その一方にマグネッ
トが設けられると共に、その他方にヨークが設けられており、チャッキングオン時に、カ
ムスライダを一方向にスライドさせることによりカム機構を介してトラバースシャーシを
上動させ、ターンテーブルの中央突起部をトレイ上のディスクの中心孔に嵌入させ該ター
ンテーブルによりディスクを持ち上げてクランパとでチャッキングし、そのターンテーブ
ルによりディスクを高速回転させ、該ディスクに記録されている情報を光ピックアップに
より読み取り、チャッキングオフ時に、カムスライダを他方向にスライドさせることによ
りカム機構を介してトラバースシャーシを下動させ、ターンテーブルをクランパから離間
させるようにしたディスク装置において、前記クランパ本体の周方向所定間隔をおいた複
数箇所に一対のスリットがそれぞれ形成されることにより、該各箇所のスリット間に弾性
変位可能な弾性片が切り残され、該各弾性片の下端部外周面に外向きに突出するストッパ
が一体突設されており、該各ストッパを内側に押し込んでクランパ本体をホルダ孔に嵌入
させた状態でその各ストッパがホルダの下面に対向され、前記各弾性片の上端部外周面に
上向き外広がり状に傾斜する傾斜状ガイド面が形成されると共に、該各弾性片の下端部内
周面に内向きに突出するプッシャが一体突設されており、チャッキングオフ時に各傾斜状
ガイド面をホルダ孔に接触させて各弾性片を内側に弾性変位させることにより、各プッシ
ャをターンテーブルの中央突起部に押し付けて該ターンテーブルをクランパから離間させ
、そのチャッキングオフ状態で前記各傾斜状ガイド面をホルダ孔に接触させることにより
、該クランパの軸心がターンテーブルの軸心と同心状に位置決めされていることを特徴と
するディスク装置。
【請求項２】
ディスク載置用トレイがローダーシャーシに前後進可能に支持され、光ピックアップ及
びターンテーブルを搭載したトラバースシャーシの後部がローダーシャーシに上下動可能
に連結され、該トラバースシャーシの前部にカム機構を介して連結したカムスライダがロ
ーダーシャーシにスライド可能に配置され、前記ローダーシャーシの両側板間に架設した
ホルダに前記ターンテーブルと同心状のホルダ孔が貫設され、該ホルダ孔に昇降可能に嵌
入する円筒状クランパ本体と該クランパ本体の上端に一体形成した上鍔部とを有する合成
樹脂製クランパが設けられ、該クランパとターンテーブルとのうち、その一方にマグネッ
トが設けられると共に、その他方にヨークが設けられており、チャッキングオン時に、カ
ムスライダを一方向にスライドさせることによりカム機構を介してトラバースシャーシを
上動させ、ターンテーブルの中央突起部をトレイ上のディスクの中心孔に嵌入させ該ター
ンテーブルによりディスクを持ち上げてクランパとでチャッキングし、そのターンテーブ
ルによりディスクを高速回転させ、該ディスクに記録されている情報を光ピックアップに
より読み取り、チャッキングオフ時に、カムスライダを他方向にスライドさせることによ
りカム機構を介してトラバースシャーシを下動させ、ターンテーブルをクランパから離間
させるようにしたディスク装置において、前記クランパ本体の上端部外周面に上向き外広
がり状に傾斜する傾斜状ガイド面が形成されており、チャッキングオフ状態で、前記傾斜
状ガイド面をホルダ孔に接触させることにより、該クランパの軸心がターンテーブルの軸
心と同心状に位置決めされていることを特徴とするディスク装置。
【請求項３】
前記クランパ本体の周方向所定間隔をおいた複数箇所に一対のスリットがそれぞれ形成
されることにより、該各箇所のスリット間に弾性変位可能な弾性片が切り残され、該各弾
性片の上端部外周面に上向き外広がり状に傾斜する傾斜状ガイド面が形成されると共に、
該各弾性片の下端部内周面に内向きに突出するプッシャが一体突設されており、チャッキ
ングオフ時に傾斜状ガイド面をホルダ孔に接触させて各弾性片を内側に弾性変位させるこ
とにより、各プッシャをターンテーブルの中央突起部に押し付けて該ターンテーブルをク
ランパから離間させるようにしたことを特徴とする請求項２に記載のディスク装置。
【請求項４】
前記各弾性片の下端部外周面に外向きに突出するストッパが一体突設されており、該各
ストッパを内側に押し込んでクランパ本体をホルダ孔に嵌入させた状態で、その各ストッ
パがホルダの下面に対向されていることを特徴とする請求項２または３に記載のディスク
装置。
【発明の詳細な説明】
【技術分野】
【０００１】
本発明は、ディスク装置（例えばＤＶＤレコーダやＤＶＤプレーヤなど）に関し、特に
、チャッキングオン・オフ時に不快な異音が発生しないようにしたものである。
【背景技術】
【０００２】
従来、ディスク装置の一例として図６〜図１１に示すものがあり、これはＤＶＤレコー
ダであって、図６は同縦断面図、図７は同チャッキングオン状態の横断面図、図８は同チ
ャッキングオフ状態の横断面図、図９は同要部の縦断面図、図１０（ａ）〜（ｃ）は同チ
ャッキングオン手順を示す要部の側面図、図１１は同他の要部の拡大側面図である。
【０００３】
図６及び図７に示すように、ディスクＤ載置用トレイ１がローダーシャーシ２に前後進
ａ，ｂ可能に支持され、ディスクＤの半径方向に移動可能な対物レンズＯＬ付き光ピック
アップ３及びターンテーブル４付きスピンドルモータ５を搭載したトラバースシャーシ６
の後部がゴムからなる後側弾性部材７を介してローダーシャーシ２に上下動ｃ，ｄ可能に
連結され、該トラバースシャーシ６の前部がゴムからなる前側弾性部材８を介して昇降部
材９に連結され、ローダーシャーシ２の前部にカムスライダ１０が前後進ａ，ｂとは直交
する左右方向ｅ，ｆに沿ってスライド可能に配置され、該カムスライダ１０に形成したカ
ム溝１１ａと、昇降部材９に一体突設されてカム溝１１ａに嵌入するカムピン１１ｂとか
らなるカム機構１１を介してカムスライダ１０とトラバースシャーシ６とが連動連結され
、カムスライダ１０に一体形成したラック（図示せず）に噛合可能なピニオン１２がロー
ダーシャーシ２の前部に正逆回転可能に配置され、該ピニオン１２に対向してトレイ１の
下面にラック１３が形成され、ローダーシャーシ２の両側板２ａ間に架設した金属板製ホ
ルダ１４に前記ターンテーブル４の軸心Ｏ１と同心状のホルダ孔１４ａが貫設され、該ホ
ルダ孔１４ａに合成樹脂製クランパ１５が係合されている。
【０００４】
図９に示すように、前記クランパ１５は、ホルダ孔１４ａに昇降可能に嵌入する円筒状
クランパ本体１５ａと、該クランパ本体１５ａの上端に一体形成した上鍔部１５ｂとを有
し、そのクランパ本体１５ａの下面にリング状ストッパ１６が配置され、該ストッパ１６
の上面に周方向所定間隔をおいて起立させた複数の起立片１６ａをクランパ本体１５ａ内
に挿入し、該各起立片１６ａの先端フック１６ｂを上鍔部１５ｂの係合孔１７を通ってク
ランパ本体１５ａの上端に係合させることにより、そのストッパ１６がクランパ１５に一
体的に結合されており、クランパ１５が上鍔部１５ｂとストッパ１６とで昇降を規制され
てホルダ１４に一定範囲内昇降可能に取り付けられている。また、前記クランパ本体１５
ａの天板部１５ｃに垂設した円筒状中央突起部１５ｄに外嵌させたマグネット１８及びヨ
ーク１９がクランパ１５の天板部１５ｃとストッパ１６とで挟持されている。
【０００５】
図９に示すように、ターンテーブル４の中央突起部４ａにリング状ヨーク２０が埋設さ
れ、その中央突起部４ａの上端外周面が上すぼまりのテーパ面２１とされている。なお、
図６中、２２はトレイ１の中央部に開設した中央開口部である。
【０００６】
動作原理を説明すると、図６実線及び図７はチャッキング時を示しており、ローディン
グ信号に基づいてピニオン１２を正転させることによりカムスライダ１０を矢印ｅ方向に
スライドさせることによりカム機構１１のカムピン１１ｂをカム溝１１ａに沿って上昇さ
せ、昇降部材９を介してトラバースシャーシ６を上動ｃさせて水平姿勢にすることにより
、トレイ１上のディスクＤの中心孔Ｄａにターンテーブル４の中央突起部４ａを嵌入させ
、該ターンテーブル４によりディスクＤを持ち上げ、マグネット１８とヨーク２０とによ
る磁気作用でターンテーブル４とクランパ１５とでディスクＤをチャッキングし（図９参
照）、スピンドルモータ５によりターンテーブル４を介してディスクＤを高速回転させ、
該ディスクＤに記録されている情報を光ピックアップ３により読み取る。
【０００７】
この場合、図９に示すように、クランパ本体１５ａの外径Ｄ１よりもホルダ孔１４ａの
内径Ｄ２を大きく設定して、そのホルダ孔１４ａとクランパ本体１５ａとの間に比較的大
きな隙間αを形成することより、ディスクＤを高速回転させたときに、クランパ本体１５
ａとホルダ孔１４ａとの接触事故が生じないようにしている。
【０００８】
図６仮想線及び図８はチャッキングオフ時を示しており、ピニオン１２を逆転させるこ
とによりカムスライダ１０を矢印ｆ方向にスライドさせることによりカム機構１１のカム
ピン１１ｂをカム溝１１ａに沿って下降させ、昇降部材９を介してトラバースシャーシ６
を下動ｄさせて傾斜姿勢にすることにより、マグネット１８とヨーク２０による磁気作用
に抗してターンテーブル４をクランパ１５から離間させ、ピニオン１２の逆転操作により
ラック１３を介してトレイ１を前進ａさせる。なお、関連する技術として特許文献１に記
載したものがある。
【特許文献１】特開２００２−１８４０６４号公報
【発明の開示】
【発明が解決しようとする課題】
【０００９】
上記従来の構成では、チャッキングオン時に、図９に示すように、クランパ１５のクラ
ンパ本体１５ａとホルダ孔１４ａとの間に比較的大きな隙間αが形成されているため、図
１０（ａ）に示すように、クランパ１５がホルダ孔１４ａ内で片寄りし、その片寄りした
分の間隔βだけホルダ１４の軸心Ｏ２がターンテーブル４の軸心Ｏ１から偏心することが
あり、特に、ターンテーブル４上にディスクＤが載置されていない状態で、該ターンテー
ブル４が持ち上げられると、図１０（ｂ）に示すように、ターンテーブル４の中央突起部
４ａによりクランパ１５が傾いた状態で押し上げられる。このため、マグネット１８とヨ
ーク２０との磁気作用で、クランパ１５が中央突起部４ａ上を矢印ｇ方向に横滑りしてタ
ーンテーブル４に同心状に嵌合され〔図１０（ｃ）参照〕、その横滑りして嵌合する際に
、異音が発生し、ユーザーに不快感を与える。
【００１０】
また、チャッキングオフ時に、カムスライダ１０を矢印ｆ方向にスライドさせることに
より、図１１に実線で示すように、カム溝１１ａの上面１１Ａでカムピン１１ｂを押し下
げて、マグネット１８とヨーク２０との磁気作用に抗して、ターンテーブル４をクランパ
１５から強制的に離間させるようになっており、その強制的離間により、カムピン１１ｂ
が一気に落下ｄしてカム溝１１ａの下面１１Ｂに衝突し（図１１仮想線参照）、異音が発
生してユーザーに不快感を与える。
【００１１】
本発明は、上記従来の欠点に鑑み、チャッキングオン・オフ時に不快な異音が発生しな
いようにしたディスク装置を提供することを目的としている。
【課題を解決するための手段】
【００１２】
上記目的を達成するため、請求項１に記載の発明は、ディスク載置用トレイがローダー
シャーシに前後進可能に支持され、光ピックアップ及びターンテーブルを搭載したトラバ
ースシャーシの後部がローダーシャーシに上下動可能に連結され、該トラバースシャーシ
の前部にカム機構を介して連結したカムスライダがローダーシャーシにスライド可能に配
置され、前記ローダーシャーシの両側板間に架設したホルダに前記ターンテーブルと同心
状のホルダ孔が貫設され、該ホルダ孔に昇降可能に嵌入する円筒状クランパ本体と該クラ
ンパ本体の上端に一体形成した上鍔部とを有する合成樹脂製クランパが設けられ、該クラ
ンパとターンテーブルとのうち、その一方にマグネットが設けられると共に、その他方に
ヨークが設けられており、チャッキングオン時に、カムスライダを一方向にスライドさせ
ることによりカム機構を介してトラバースシャーシを上動させ、ターンテーブルの中央突
起部をトレイ上のディスクの中心孔に嵌入させ該ターンテーブルによりディスクを持ち上
げてクランパとでチャッキングし、そのターンテーブルによりディスクを高速回転させ、
該ディスクに記録されている情報を光ピックアップにより読み取り、チャッキングオフ時
に、カムスライダを他方向にスライドさせることによりカム機構を介してトラバースシャ
ーシを下動させ、ターンテーブルをクランパから離間させるようにしたディスク装置にお
いて、前記クランパ本体の周方向所定間隔をおいた複数箇所に一対のスリットがそれぞれ
形成されることにより、該各箇所のスリット間に弾性変位可能な弾性片が切り残され、該
各弾性片の下端部外周面に外向きに突出するストッパが一体突設されており、該各ストッ
パを内側に押し込んでクランパ本体をホルダ孔に嵌入させた状態でその各ストッパがホル
ダの下面に対向され、前記各弾性片の上端部外周面に上向き外広がり状に傾斜する傾斜状
ガイド面が形成されると共に、該各弾性片の下端部内周面に内向きに突出するプッシャが
一体突設されており、チャッキングオフ時に各傾斜状ガイド面をホルダ孔に接触させて各
弾性片を内側に弾性変位させることにより、各プッシャをターンテーブルの中央突起部に
押し付けて該ターンテーブルをクランパから離間させ、そのチャッキングオフ状態で前記
各傾斜状ガイド面をホルダ孔に接触させることにより、該クランパの軸心がターンテーブ
ルの軸心と同心状に位置決めされていることを特徴としている。
【００１３】
請求項２に記載の発明は、ディスク載置用トレイがローダーシャーシに前後進可能に支
持され、光ピックアップ及びターンテーブルを搭載したトラバースシャーシの後部がロー
ダーシャーシに上下動可能に連結され、該トラバースシャーシの前部にカム機構を介して
連結したカムスライダがローダーシャーシにスライド可能に配置され、前記ローダーシャ
ーシの両側板間に架設したホルダに前記ターンテーブルと同心状のホルダ孔が貫設され、
該ホルダ孔に昇降可能に嵌入する円筒状クランパ本体と該クランパ本体の上端に一体形成
した上鍔部とを有する合成樹脂製クランパが設けられ、該クランパとターンテーブルとの
うち、その一方にマグネットが設けられると共に、その他方にヨークが設けられており、
チャッキングオン時に、カムスライダを一方向にスライドさせることによりカム機構を介
してトラバースシャーシを上動させ、ターンテーブルの中央突起部をトレイ上のディスク
の中心孔に嵌入させ該ターンテーブルによりディスクを持ち上げてクランパとでチャッキ
ングし、そのターンテーブルによりディスクを高速回転させ、該ディスクに記録されてい
る情報を光ピックアップにより読み取り、チャッキングオフ時に、カムスライダを他方向
にスライドさせることによりカム機構を介してトラバースシャーシを下動させ、ターンテ
ーブルをクランパから離間させるようにしたディスク装置において、前記クランパ本体の
上端部外周面に上向き外広がり状に傾斜する傾斜状ガイド面が形成されており、チャッキ
ングオフ状態で、前記傾斜状ガイド面をホルダ孔に接触させることにより、該クランパの
軸心がターンテーブルの軸心と同心状に位置決めされていることを特徴としている。
【００１４】
請求項３に記載の発明は、請求項２に記載の発明において、前記クランパ本体の周方向
所定間隔をおいた複数箇所に一対のスリットがそれぞれ形成されることにより、該各箇所
のスリット間に弾性変位可能な弾性片が切り残され、該各弾性片の上端部外周面に上向き
外広がり状に傾斜する傾斜状ガイド面が形成されると共に、該各弾性片の下端部内周面に
内向きに突出するプッシャが一体突設されており、チャッキングオフ時に傾斜状ガイド面
をホルダ孔に接触させて各弾性片を内側に弾性変位させることにより、各プッシャをター
ンテーブルの中央突起部に押し付けて該ターンテーブルをクランパから離間させるように
したことを特徴としている。
【００１５】
請求項４に記載の発明は、請求項２または３に記載の発明において、前記各弾性片の下
端部外周面に外向きに突出するストッパが一体突設されており、該各ストッパを内側に押
し込んでクランパ本体をホルダ孔に嵌入させた状態で、その各ストッパがホルダの下面に
対向されていることを特徴としている。
【発明の効果】
【００１６】
請求項１に記載の発明は実施の一形態（図１〜図５参照）に対応するものであって、こ
れによれば、チャッキングオフ状態で、クランパ本体の傾斜状ガイド面をホルダ孔に接触
させることにより、クランパの軸心がターンテーブルの軸心と同心状に位置決めされてい
るため、チャッキングオン時に、ターンテーブル上にディスクが載置されていない状態で
も、該ターンテーブルによりクランパを真っ直ぐに持ち上げることができる。このため、
クランパが従来のように横滑りして不快な異音を発生させることがなく、チャッキング動
作を静かに行うことができる。
【００１７】
また、チャッキングオフ時に、カム機構によりトラバースシャーシを下動させてターン
テーブルをクランパから離間させる際に、各弾性片の傾斜状ガイド面をホルダ孔に接触さ
せて、該各弾性片を内側に弾性変位させて、その各弾性片のプッシャをターンテーブルの
中央突起部に押し付けて該ターンテーブルをクランパから離間させるようになっており、
その各プッシャとカム機構との共同作用で、マグネットとヨークとの磁気作用に抗して、
ターンテーブルをクランパから円滑且つ静かに離間させることができ、従来のカム機構だ
けで離間させる場合のように不快な異音を発生させることがない。
【００１８】
更に、ストッパがクランパの各弾性片の下端部外周面に一体突設されており、従来のよ
うにストッパをクランパとは別体とする場合に比べて、その部品点数が半減されているか
ら、その半減させた分だけ製作費を安くすることができる。
【００１９】
請求項２に記載の発明は基本形態に対応するものであって、これによれば、チャッキン
グオフ状態で、クランパ本体の傾斜状ガイド面をホルダ孔に接触させることにより、クラ
ンパの軸心がターンテーブルの軸心と同心状に位置決めされているため、チャッキングオ
ン時に、ターンテーブル上にディスクが載置されていない状態でも、該ターンテーブルに
よりクランパを真っ直ぐに持ち上げることができる。このため、クランパが従来のように
横滑りして不快な異音を発生させることがなく、チャッキング動作を静かに行うことがで
きる。
【００２０】
請求項３に記載の発明によれば、チャッキングオフ時に、カム機構によりトラバースシ
ャーシを下動させてターンテーブルをクランパから離間させる際に、各弾性片の傾斜状ガ
イド面をホルダ孔に接触させて、該各弾性片を内側に弾性変位させて、その各弾性片のプ
ッシャをターンテーブルの中央突起部に押し付けて該ターンテーブルをクランパから離間
させるようになっており、その各プッシャとカム機構との共同作用で、マグネットとヨー
クとの磁気作用に抗して、ターンテーブルをクランパから円滑且つ静かに離間させること
ができ、従来のカム機構だけで離間させる場合のように不快な異音を発生させることがな
い。
【００２１】
請求項４に記載の発明によれば、ストッパがクランパの各弾性片の下端部外周面に一体
突設されており、従来のようにストッパをクランパとは別体とする場合に比べて、その部
品点数が半減されているから、その半減させた分だけ製作費を安くすることができる。
【発明を実施するための最良の形態】
【００２２】
図１〜図５は本発明の実施の一形態であるディスク装置を示すものであり、これはＤＶ
Ｄレコーダであって、図１は同チャッキングオン状態の要部の縦断面図、図２は図１のＡ
−Ａ矢視図、図３は同要部の分解斜視図、図４（ａ）及び（ｂ）は同チャッキングオン手
順を示す要部の縦断面図、図５（ａ）は同チャッキングオフ状態を示す要部の縦断面図、
図５（ｂ）は同要部の拡大縦断面図である。
【００２３】
図１〜図３に示すように、クランパ本体１５ａの周方向所定間隔をおいた複数箇所（こ
の実施の形態では３箇所）に一対のスリット２３がそれぞれ形成されることにより、該各
箇所のスリット２３間に弾性変位可能な弾性片２４が切り残され、該各弾性片２４の下端
部外周面に外向きに突出する略三角形状ストッパ１６が一体突設されており、該各ストッ
パ１６を内側に押し込んでクランパ本体１５ａをホルダ孔１４ａに嵌入させることにより
、その各ストッパ１６の上面１６ｃ〔図５（ｂ）参照〕がホルダ１４の下面に対向されて
いる。
【００２４】
上記構成によれば、ストッパ１６がクランパ１５の各弾性片２４の下端部外周面に一体
突設されており、従来のようにストッパ１６をクランパ１５とは別体とする場合（図９参
照）に比べて、その部品点数が半減されているから、その半減させた分だけ製作費を安く
することができる。
【００２５】
図１〜図５に示すように、各弾性片２４の上端部２４ａを略く字状に折り曲げることに
より、その上端部外周面に上向き外広がり状に傾斜する傾斜状ガイド面２６が形成されて
おり、図４（ａ）に示すチャッキングオフ状態で、傾斜状ガイド面２６をホルダ孔１４ａ
に接触させることにより、該クランパ１５の軸心Ｏ２がターンテーブル４の軸心Ｏ１と同
心状に位置決めされている。従って、図４（ｂ）に示すように、チャッキングオン時に、
ターンテーブル４上にディスクＤが載置されていない状態でも、該ターンテーブル４によ
りクランパ１５を真っ直ぐに持ち上げることができる。このため、クランパ１５が従来の
ように横滑りして不快な異音を発生させることがなく〔図１０（ｂ）参照〕、チャッキン
グ動作を静かに行うことができる。
【００２６】
図５（ａ）に示すように、各弾性片２４の下端部内周面に、内向きに突出する略三角形
状プッシャ２７が一体突設されており、チャッキングオフ時に、カム機構１１によりトラ
バースシャーシ６を下動ｄさせてターンテーブル４を下降させることにより、クランパ１
５の各傾斜状ガイド面２６をホルダ孔１４ａに接触させて各弾性片２４を内側に弾性変位
させ〔図５（ｂ）仮想線参照〕、これにより、各プッシャ２７をターンテーブル４の中央
突起部４ａのテーパ面２１に押し付けて、その押付力Ｆでターンテーブル４を下向きに押
すようになっており、これによれば、各プッシャ２７とカム機構１１との共同作用で、マ
グネット１８とヨーク２０との磁気作用に抗して、ターンテーブル４をクランパ１５から
円滑且つ静かに離間させることができ、従来のカム機構１１だけで離間させる場合（図１
１参照）のように不快な異音を発生させることがない。
【００２７】
図１及び図２において、２９はクランパ１５の天板部１５ｃに一体突設した複数のフッ
クであって、マグネット１８及びヨーク１９を天板部１５ｃに係止するものである。上記
以外の構成は図６〜図１１に示す構成とほぼ同一であるから、同一部分に同一符号を付し
てその説明を省略する。
【図面の簡単な説明】
【００２８】
【図１】本発明の実施の一形態であるディスク装置におけるチャッキングオン状態の要部の縦断面図である。
【図２】図１のＡ−Ａ矢視図である。
【図３】同要部の分解斜視図である。
【図４】（ａ）（ｂ）は同チャッキングオン手順を示す要部の縦断面図である。
【図５】（ａ）は同チャッキングオフ状態の要部の縦断面図、（ｂ）は同要部の拡大縦断面図である。
【図６】従来例を示す縦断面図である。
【図７】同チャッキングオン状態の横断面図である。
【図８】同チャッキングオフ状態の横断面図である。
【図９】同要部の縦断面図である。
【図１０】（ａ）〜（ｃ）は同チャッキングオン手順を示す要部の側面図である。
【図１１】同他の要部の拡大側面図である。
【符号の説明】
【００２９】
１          トレイ
２          ローダーシャーシ
３          光ピックアップ
４          ターンテーブル
４ａ        ターンテーブルの中央突起部
６          トラバースシャーシ
１０        カムスライダ
１１        カム機構
１４        ホルダ
１４ａ      ホルダ孔
１５        クランパ
１６        ストッパ
１８        マグネット
２０        ヨーク
２３        スリット
２４        弾性片
２６        傾斜状ガイド面
２７        プッシャ
Ｄ          ディスク
Ｄａ        ディスクの中心孔
Ｏ１        ターンテーブルの軸心
Ｏ２        クランパの軸心
【図１】
2008176876.tif 000003
【図２】
2008176876.tif 000004
【図３】
2008176876.tif 000005
【図４】
2008176876.tif 000006
【図５】
2008176876.tif 000007
【図６】
2008176876.tif 000008
【図７】
2008176876.tif 000009
【図８】
2008176876.tif 000010
【図９】
2008176876.tif 000011
【図１０】
2008176876.tif 000012
【図１１】
2008176876.tif 000013